(57)【要約】【課題】用途別に組み合わせるときに連結具を用いた組み立て作業を省略できる仕切りフェンスを提供すること。【解決手段】形状とサイズが規格化された仕切りモジュールを構成要素として有し、床面Ｆの上部空間を外部空間領域と内部空間領域とに区分する。この仕切りフェンスＰＦにおいて、仕切りモジュールとして、床面Ｆへの設置により直線部位を仕切るフラットモジュールFMを備える。フラットモジュールFMは、第１傾斜面１ａと第２傾斜面１ｂと上端面１ｃと下端面１ｄと左側面１ｅと右側面１ｆにより囲まれ、床面Ｆに対する垂直面から一方向に傾斜させた傾斜角度θを持つ傾斜仕切り板１と、傾斜仕切り板１の下部位置に設けられ、傾斜仕切り板１の傾斜角度θを維持しながら床面Ｆに対して自立支持させる傾斜支持板２と、を有する。【選択図】図１
2020156425.tif 000002
【特許請求の範囲】
【請求項１】
形状とサイズが規格化された仕切りモジュールを構成要素として有し、床面の上部空間を外部空間領域と内部空間領域とに区分する仕切りフェンスにおいて、
前記仕切りモジュールとして、床面への設置により直線部位を仕切るフラットモジュールを備え、
前記フラットモジュールは、
第１傾斜面と第２傾斜面と上端面と下端面と左側面と右側面により囲まれ、床面に対する垂直面から一方向に傾斜させた傾斜角度を持つ傾斜仕切り部材と、
前記傾斜仕切り部材の下部位置に設けられ、前記傾斜仕切り部材の傾斜角度を維持しながら床面に対して自立支持させる自立支持部材と、を有する
ことを特徴とする仕切りフェンス。
【請求項２】
請求項１に記載された仕切りフェンスにおいて、
前記傾斜仕切り部材は、床面に対して垂直な面から内部空間領域に向かって傾斜し、前記第２傾斜面と床面との傾斜角度を直角より小さい所定の傾斜角度に設定し、
前記自立支持部材は、床面へ当接する下端面の端部位置を、前記フラットモジュールの重心位置よりも内部空間領域に向かって離れた位置に配置する
ことを特徴とする仕切りフェンス。
【請求項３】
請求項１又は２に記載された仕切りフェンスにおいて、
前記傾斜仕切り部材を、傾斜仕切り板とし、
前記自立支持部材を、前記第２傾斜面の下部位置に横幅方向に沿って固定され、前記傾斜仕切り板の傾斜方向とは逆方向に傾斜する傾斜支持板とし、
前記傾斜仕切り板と前記傾斜支持板の内面に形成される三角柱形状空間に符合する形状による三角柱支持板を有する
ことを特徴とする仕切りフェンス。
【請求項４】
請求項１から３までの何れか一項に記載された仕切りフェンスにおいて、
前記フラットモジュールを複数個用意し、
前記フラットモジュールの側面同士を互いに突き合わせる側面突き合わせ状態で床面に沿う横並び直線整列により組み合わせる
ことを特徴とする仕切りフェンス。
【請求項５】
請求項１から３までの何れか一項に記載された仕切りフェンスにおいて、
前記仕切りモジュールとして、床面への設置によりコーナー部位を仕切るコーナーモジュールを備え、
前記フラットモジュールと前記コーナーモジュールをそれぞれ複数個用意し、
前記フラットモジュールと前記コーナーモジュールの側面同士を互いに突き合わせる側面突き合わせ状態で床面全体から所定の方形床面領域を仕切る形状に組み合わせる
ことを特徴とする仕切りフェンス。
【請求項６】
請求項１から３までの何れか一項に記載された仕切りフェンスにおいて、
前記仕切りモジュールとして、床面への設置によりコーナー部位を仕切るコーナーモジュールを備え、
前記フラットモジュールと前記コーナーモジュールをそれぞれ複数個用意すると共に、所定の形状による床板を用意し、
前記フラットモジュールと前記コーナーモジュールの側面同士を互いに突き合わせる側面突き合わせ状態で床面を方形状に囲んで組み合わせ、
前記床板を、前記自立支持部材に沿って重なり合う領域と方形状の囲みにより形成される床面領域に対して上から覆うように組み合わせる
ことを特徴とする仕切りフェンス。
【発明の詳細な説明】
【技術分野】
【０００１】
本発明は、多用途に適用される仕切りフェンスに関する。
【背景技術】
【０００２】
従来、端部同士が連結可能な複数枚の柵部材を有するペット用柵であって、上記柵部材のうち少なくとも１枚の柵部材における幅方向の中間部に、他の柵部材における幅方向の端部を着脱可能に連結する連結部が設けられたペット用柵が知られている（例えば、特許文献１参照）。
【先行技術文献】
【特許文献】
【０００３】
【特許文献１】特開２００７−１８９９３８号公報
【発明の概要】
【発明が解決しようとする課題】
【０００４】
先行技術は、ペット用柵をゲートやサークルやケージとして使用するとき、連結手段、結合手段、補助金具、ボルトによる連結具を用い、床面に対して垂直に設置される２枚の長辺側棚部材と２枚の短辺側柵部材を、用途に応じて連結しながら組み立てる構成としている。このため、組み立て作業を行う場合、複数個の柵部材を連結するために多くの連結具を要するし、用途に応じて組み立てるのに長時間の工数や手間を要する。さらに、用途を変更する場合、連結具による連結を外して分解し、再組立て作業を要する、という課題があった。
【０００５】
本発明は、上記課題に着目してなされたもので、用途別に組み合わせるときに連結具を用いた組み立て作業を省略できる仕切りフェンスを提供することを目的とする。
【課題を解決するための手段】
【０００６】
上記目的を達成するため、本発明の仕切りフェンスは、形状とサイズが規格化された仕切りモジュールを構成要素として有し、床面の上部空間を外部空間領域と内部空間領域とに区分する。
仕切りモジュールとして、床面への設置により直線部位を仕切るフラットモジュールを備える。
フラットモジュールは、第１傾斜面と第２傾斜面と上端面と下端面と左側面と右側面により囲まれ、床面に対して垂直面から一方向に傾斜させた傾斜角度を持つ傾斜仕切り部材と、
傾斜仕切り部材の下部位置に設けられ、傾斜仕切り部材の傾斜角度を維持しながら床面に対して自立支持させる自立支持部材と、を有する。
【発明の効果】
【０００７】
このように、床面に対して傾斜させた傾斜仕切り部材と、傾斜仕切り部材の傾斜角度を維持しながら床面に対して自立支持させる自立支持部材とによってフラットモジュールが構成される。
即ち、傾斜仕切り部材を用いているため、傾斜仕切り部材の重心位置と下端面による床面接触位置とが床面方向にずれた位置の設定になり、傾斜面に向かって作用する外力に対してフラットモジュールの倒れを抑える倒れ抑制強度を確保するのが容易になる。よって、床面に対して設置するだけでフラットモジュールの自立固定状態が維持され、フラットモジュールを互いに連結するとき、連結具を要しない。
このため、用途別に組み合わせるときに連結具を用いた組み立て作業を省略できる仕切りフェンスを提供することができる。
【図面の簡単な説明】
【０００８】
【図１】実施例１の仕切りフェンスの構成要素であるフラットモジュールを示す斜視図である。
【図２】フラットモジュールを示す縦断側面図である。
【図３】実施例１の仕切りフェンスの構成要素であるコーナーモジュールを示す斜視図である。
【図４】コーナーモジュールを示す縦断側面図である。
【図５】長尺直線部用の第１三角柱支持板を示す側面図(a)及び正面図(b)である。
【図６】短尺直線部用の第２三角柱支持板を示す側面図(a)及び正面図(b)である。
【図７】コーナー用三角柱支持板を示す上面図(a)及び正面図(b)である。
【図８】床板を示す表面図(a)、側面図(b)及び裏面図(c)である。
【図９】仕切りフェンスをゲートの用途とするときの組み合わせ例を示す斜視図である。
【図１０】仕切りフェンスをサークルの用途とするときの組み合わせ例を示す斜視図である。
【図１１】仕切りフェンスをサークルの用途とするときの組み合わせ作用を示す斜視図である。
【図１２】仕切りフェンスをペット用ケージの用途とするときの組み合わせ例を示す斜視図である。
【図１３】第１板面に向かって作用する外力に対して仕切りモジュールの倒れを抑える倒れ抑制強度の確保作用を示す作用説明図である。
【図１４】第２板面に向かって作用する外力に対して仕切りモジュールの倒れを抑える倒れ抑制強度の確保作用を示す作用説明図である。
【図１５】床板による仕切りモジュールの倒れを抑える倒れ抑制強度の確保作用を示す作用説明図である。
【発明を実施するための形態】
【０００９】
以下、本発明による仕切りフェンスを実施するための形態を、図面に示す実施例１に基づいて説明する。
【実施例１】
【００１０】
実施例１における仕切りフェンスは、形状とサイズが規格化された仕切りモジュールとしてフラットモジュールとコーナーモジュールを備え、用途に応じて仕切りモジュールを適宜組み合わせる多用途仕切りフェンスの例である。以下、実施例１の構成を、「仕切りフェンスの構成要素構成」、「仕切りフェンスの用途別構成」に分けて説明する。
【００１１】
［仕切りフェンスの構成要素構成］
仕切りフェンスの構成要素構成を、フラットモジュールの詳細構成と、コーナーモジュールの詳細構成と、三角柱支持板及び床板の詳細構成とに分けて説明する。
【００１２】
（フラットモジュールの詳細構成：図１及び図２）
フラットモジュールFMは、床面Ｆの上部空間を外部空間領域と内部空間領域とに区分する仕切りフェンスの構成要素であり、形状とサイズの規格化により組み合わせ自由度や交換自由度を持たせ、床面Ｆへの設置により直線部位を仕切るモジュールである。
【００１３】
フラットモジュールFMは、図１及び図２に示すように、床面Ｆに対する垂直面から一方向に傾斜させた傾斜角度を持つ傾斜仕切り板１（傾斜仕切り部材の一例）と、傾斜仕切り板１の下部位置に設けられ、傾斜仕切り板１の傾斜角度θを維持しながら床面Ｆに対して自立支持させる傾斜支持板２（自立支持部材の一例）と、を有する。
【００１４】
傾斜仕切り板１は、第１傾斜面１ａと第２傾斜面１ｂと上端面１ｃと下端面１ｄと左側面１ｅと右側面１ｆにより囲まれた長方形状板部材である。この傾斜仕切り部材１は、外部空間領域に接する面を第１傾斜面１ａとし、内部空間領域に接する面を第２傾斜面１ｂとするとき、床面Ｆに対して垂直な面から第２傾斜面１ｂに向かって傾斜し、第２傾斜面１ｂと床面Ｆとの傾斜角度θを直角より小さい所定の傾斜角度に設定している。なお、上端面１ｃは、斜め傾斜面と上端平面との組み合わせ面としている。
【００１５】
ここで、「傾斜角度θ」として、実施例１ではθ＝７５°程度の角度設定としているが、例えば、±１０°程度の角度範囲（θ＝６５°〜８５°）の変更は許容される。なお、傾斜角度θの下限角度は、ケージ（図１２参照）の用途にするとき、ペットの出し入れの際に邪魔にならない上面開口面積を確保できる角度により決める。また、傾斜角度θの上限角度は、θ＝９０°（垂直）を除いた角度であり、倒れ抑制強度を確保することができるモーメントスパンを設定できる角度により決める。
【００１６】
傾斜支持板２は、第１傾斜面２ａと第２傾斜面２ｂと上端面２ｃと下端面２ｄと左側面２ｅと右側面２ｆにより囲まれた長方形状板部材である。この傾斜支持板２は、上端面２ｃが傾斜仕切り板１の板内面である第２傾斜面１ｂの下部位置に横幅方向に沿って接着により固定され、傾斜仕切り板１の傾斜方向とは逆方向に傾斜する。ここで、傾斜支持板２の左側面２ｅは、傾斜仕切り板１の左側面１ｅと同一面とし、傾斜支持板２の右側面２ｆは、傾斜仕切り板１の右側面１ｆと同一面としている。
【００１７】
傾斜支持板２は、図２に示すように、床面Ｆへ当接する下端面２ｄの端部位置Ｐ１を、フラットモジュールFMの重心位置Ｇ１よりも内部空間領域に向かって離れた位置に配置している。なお、実施例１においては、端部位置Ｐ１を、傾斜仕切り板１の上端面１ｃの端部位置から垂直に延ばした垂直線Ｖよりさらに内部空間領域に向かって離れた位置に配置している。
【００１８】
フラットモジュールFMは、図1及び図２に示すように、傾斜仕切り板１と傾斜支持板２とを互いに接着させた一体構成とし、モジュール組み合わせやモジュール組み換えを行う際、床面Ｆに設置するだけで側面連結機能が発揮されるモジュール重量の設定としている。言い換えると、仕切りフェンスで一般に用いられる連結ブラケットやネジ等の連結具を用いることなく、床面Ｆに設置するだけでフラットモジュールFMの組み合わせが行える設定としている。また、フラットモジュールFMの組み換えを行う際も、連結具を外したり連結具を取り付けたりする作業を省略する設定としている。
【００１９】
実施例１では、フラットモジュールFMの板素材として、ガラスの光線透過率を超える透明感を備え、加工性やデザイン性に優れているアクリル樹脂を用いている。よって、例えば、板厚を15mm、モジュール高さを470mmに設計し、アクリル系接着剤を用いて重合接着して製造すると、モジュール重量が高重量による設定になり、フラットモジュールFMの単独による自立機能やフラットモジュールFMを後述するコーナーモジュールCMと組み合わせたときの側面連結機能を発揮する。
【００２０】
（コーナーモジュールの詳細構成：図３及び図４）
コーナーモジュールCMは、床面Ｆの上部空間を外部空間領域と内部空間領域とに区分する仕切りフェンスの構成要素であり、形状とサイズの規格化により組み合わせ自由度や交換自由度を持たせ、床面Ｆへの設置によりコーナー部位を仕切るモジュールである。
【００２１】
コーナーモジュールCMは、図３及び図４に示すように、床面Ｆに対する垂直面から一方向に傾斜させた傾斜角度を持つコーナー仕切り板３（コーナー仕切り部材の一例）と、コーナー仕切り板３の下部位置に設けられ、コーナー仕切り板３の傾斜角度θを維持しながら床面Ｆに対して自立支持させるコーナー支持板４（自立支持部材の一例）と、を有する。
【００２２】
コーナー仕切り板３は、傾斜仕切り板１の傾斜角度θと同一の傾斜角度θを有しながら直交する第１コーナー傾斜面３ａと第２コーナー傾斜面３ｂと上端コーナー面３ｃと下端コーナー面３ｄと左コーナー側面３ｅと右コーナー側面３ｆにより囲まれたコーナー板部材である。
【００２３】
コーナー支持板４は、第１コーナー傾斜面４ａと第２コーナー傾斜面４ｂと上端コーナー面４ｃと下端コーナー面４ｄと左コーナー側面４ｅと右コーナー側面４ｆにより囲まれたコーナー板部材である。このコーナー支持板４は、上端面コーナー４ｃがコーナー仕切り板３の板内面である第２コーナー傾斜面４ｂの下部位置にコーナー形状に沿って接着により固定され、コーナー仕切り板３の傾斜方向とは逆方向に傾斜する。ここで、コーナー支持板４の左コーナー側面４ｅは、コーナー仕切り板３の左コーナー側面３ｅと同一面とし、傾斜支持板４の右コーナー側面４ｆは、コーナー仕切り板３の右コーナー側面３ｆと同一面としている。
【００２４】
コーナーモジュールCMは、図３及び図４に示すように、コーナー仕切り板３とコーナー支持板４を互いに接着させた一体構成とし、モジュール組み合わせやモジュール組み換えを行う際、床面Ｆに設置するだけで側面連結機能が発揮されるモジュール重量の設定としている。言い換えると、仕切りフェンスで一般に用いられる連結ブラケットやネジ等の連結具を用いることなく、床面Ｆに設置するだけでフラットモジュールFMの組み合わせが行える設定としている。また、フラットモジュールFMの組み換えを行う際も、連結具を外したり連結具を取り付けたりする作業を省略する設定としている。
【００２５】
実施例１では、コーナーモジュールCMの板素材として、フラットモジュールFMと同様に、ガラスの光線透過率を超える透明感を備え、加工性やデザイン性に優れているアクリル樹脂を用いている。よって、例えば、板厚を15mm、モジュール高さを470mmに設計し、アクリル系接着剤を用いて重合接着して製造すると、モジュール重量が高重量による設定になり、コーナーモジュールCMの単独による自立機能やコーナーモジュールCMをフラットモジュールFMと組み合わせたときの側面連結機能を発揮する。
【００２６】
（三角柱支持板及び床板の詳細構成：図５〜図８）
【００２７】
第１三角柱支持板５、第２三角柱支持板６、コーナー用三角柱支持板７及び床板８は、何れもフラットモジュールFMやコーナーモジュールCMの傾斜角度θを維持しながらの自立支持を補強する自立支持補強部材である。
【００２８】
第１三角柱支持板５は、図５に示すように、長尺直線部用の三角柱支持板であり、傾斜仕切り板１と傾斜支持板２の内面に形成される三角柱形状空間に符合する形状とされる。そして、第１三角柱支持板５の三角形状の両端面には、磁力連結のためのマグネット９（例えば、ネオジウムマグネット等）が三角頂部領域の三箇所位置に埋め込み配置される。なお、マグネット９は表面に露出しないように表面板で覆われる。
【００２９】
第２三角柱支持板６は、図６に示すように、短尺直線部用の三角柱支持板であり、傾斜仕切り板１と傾斜支持板２の内面に形成される三角柱形状空間に符合する形状とされる。そして、第２三角柱支持板６の三角形状の両端面には、磁力連結のためのマグネット９が三角頂部領域の三箇所位置に埋め込み配置される。なお、マグネット９は表面に露出しないように表面板で覆われる。
【００３０】
コーナー用三角柱支持板７は、図７に示すように、コーナー部に用いる三角柱支持板であり、コーナー仕切り板３とコーナー支持板４の内面に形成される三角柱形状空間に符合し、両端部が外部へ突出する形状とされる。そして、第２三角柱支持板６の三角形状の直交する両端面には、磁力連結のためのマグネット９が三角頂部領域の三箇所位置に埋め込み配置される。なお、マグネット９は表面に露出しないように表面板で覆われる。
【００３１】
床板８は、図８に示すように、ケージ用途のときに床面を覆う床板部材であり、正方形の形状とされる。この床板８は、裏面側の外周に沿って傾斜面８ａが形成され、傾斜面８ａの傾斜角度αを、傾斜支持板２及びコーナー支持板４の床面Ｆに対する傾斜角度αと一致させている。
【００３２】
第１三角柱支持板５、第２三角柱支持板６、コーナー用三角柱支持板７及び床板８の板素材としては、木質は重く強靭で硬さに優れ、衝撃にも強いという特性を備える木材（例えば、ホワイトアッシュ等）が用いられる。よって、アクリル樹脂の選択により透明感が高いフラットモジュールFMやコーナーモジュールCMと、ホワイトアッシュ材による各板５，６，７，８を組み合わせることにより、デザイン性が高くて上質な仕切りフェンスを構成することができる。
【００３３】
［仕切りフェンスの用途別構成］
フラットモジュールFMを含む構成要素を複数個用意し、これを用途に応じて組み合わせることで構成される仕切りフェンスＰＦを、図９〜図１２に基づき、ゲートＰＦ１の用途例とサークルＰＦ２の用途例とケージＰＦ３の用途例とに分けて説明する。
【００３４】
（ゲートの用途例：図９）
仕切りフェンスＰＦを、ペットや乳幼児等が通過するのを阻止するゲートＰＦ１として用いる基本組み合わせの場合は、フラットモジュールFMを、通過を阻止したい位置での両側の壁面間隔寸法に応じて複数個用意する。そして、フラットモジュールFMの側面同士を互いに突き合わせる側面突き合わせ状態で床面Ｆに沿う横並び直線整列により組み合わせる。ここで、「側面突き合わせ状態」とは、モジュール側面同士が突き合わせにより面接触している状態をいうのではなく、僅かな隙間を介在させてモジュール側面同士が対向配置される状態をいう。
【００３５】
ゲートＰＦ１を、壁面Ｗ１とキッチンユニットのユニット壁面Ｗ２により挟まれた床面Ｆへ設置するモジュール組み合わせ形態例では、図９に示すように、第１三角柱支持板５を２本用意し、第２三角柱支持板６を２本用意し、フラットモジュールFMを３個用意する。そして、４本の第１三角柱支持板５及び第２三角柱支持板６を、互いにマグネット吸着により直線状に連結させて三角柱支持ベースを作る。その後、三角柱支持板５，６による三角柱支持ベースの上から３個のフラットモジュールFM1,FM2,FM3を側面突き合わせ状態で設置して組み合わせることにより構成される。
【００３６】
ここで、３個のフラットモジュールFM1,FM2,FM3を設置するときは、三角柱支持板５，６の互いのマグネット連結部Ｊを、それぞれのフラットモジュールFM1,FM2,FM3が跨ぐ位置に配置する。
【００３７】
（サークルの用途例：図１０及び図１１）
仕切りフェンスＰＦを、ペットや乳幼児等が自由に動ける範囲を制限するサークルＰＦ２として用いる基本組み合わせの場合は、フラットモジュールFMとコーナーモジュールCMを、要求するサークル面積の広さに応じてそれぞれ複数個用意する。そして、フラットモジュールFMとコーナーモジュールCMの側面同士を互いに突き合わせる側面突き合わせ状態で床面Ｆの全体から所定の方形床面領域を仕切る形状に組み合わせる。
【００３８】
サークルＰＦ２を、壁面Ｗを利用しつつ床面Ｆへ設置するモジュール組み合わせ形態例では、図１０に示すように、第１三角柱支持板５を１本用意し、第２三角柱支持板６を２本用意し、コーナー用三角柱支持板７を２本用意し、フラットモジュールFMを４個用意し、コーナーモジュールCMを２個用意する。そして、５本の第１三角柱支持板５、第２三角柱支持板６及びコーナー用三角柱支持板７を、互いにマグネット吸着によりコ字状に連結させて三角柱支持ベースを作る。その後、図１１の矢印に示すように、三角柱支持板５，６，７による三角柱支持ベースの上から４個のフラットモジュールFM1,FM2,FM3,FM4と２個のコーナーモジュールCM1,CM2を側面突き合わせ状態で設置して組み合わせることにより構成される。
【００３９】
ここで、４個のフラットモジュールFM1,FM2,FM3,FM4を設置するときは、三角柱支持板５，６，７の互いのマグネット連結部Ｊを、フラットモジュールFM1,FM2,FM3,FM4が跨ぐ位置に配置する。
【００４０】
（ケージ用途例：図１２）
仕切りフェンスＰＦを、ペット等のために全周が囲まれた独立空間を形成するケージＰＦ３として用いる基本組み合わせの場合は、フラットモジュールFMとコーナーモジュールCMを、要求するケージ面積の広さに応じてそれぞれ複数個用意すると共に、床板８を１枚用意する。そして、フラットモジュールFMとコーナーモジュールCMの側面同士を互いに突き合わせる側面突き合わせ状態で床面Ｆを方形状に囲んで組み合わせる。そして、床板８を、自立支持部材である傾斜支持板２及びコーナー支持板４に沿って重なり合う領域と方形状の囲みにより形成される床面領域に対して上から覆うように組み合わせる。
【００４１】
ケージＰＦ３を所望の床面Ｆの位置へ設置するモジュール組み合わせ形態例では、図１２に示すように、コーナー用三角柱支持板７を４本用意し、フラットモジュールFMを４個用意し、コーナーモジュールCMを４個用意すると共に、床板８を１枚用意する。そして、４本のコーナー用三角柱支持板７を、互いにマグネット吸着によりロ字状に連結させて三角柱支持ベースを作る。その後、コーナー用三角柱支持板７による三角柱支持ベースの上から４個のフラットモジュールFM1,FM2,FM3,FM4と４個のコーナーモジュールCM1,CM2,CM3,CM4を側面突き合わせ状態で設置する。最後に、床板８を、傾斜支持板２及びコーナー支持板４に沿って重なり合う領域と方形状の囲みにより形成される床面領域に対して上から覆うように組み合わせることにより構成される。
【００４２】
ここで、４個のフラットモジュールFM1,FM2,FM3,FM4を設置するときは、コーナー用三角柱支持板７の互いのマグネット連結部Ｊを、フラットモジュールFM1,FM2,FM3,FM4が跨ぐ位置に配置する。
【００４３】
次に、「背景技術と課題解決対策」を説明する。そして、実施例１の作用を、「フラットモジュールの倒れ抑制強度の確保作用」、「ゲートにおける作用」、「サークルにおける作用」、「ケージにおける作用」に分けて説明する。
【００４４】
［背景技術と課題解決対策］
背景技術の仕切りフェンスとして一般的に知られているのは、端部同士が連結可能な複数枚の柵部材を有するペット用柵である。しかし、ペット用柵をゲートやサークルやケージとして使用するとき、連結手段、結合手段、補助金具、ボルトによる連結具を用い、床面に対して垂直に設置される２枚の長辺側棚部材と２枚の短辺側柵部材を、用途に応じて連結しながら組み立てる構成としている。
【００４５】
このため、組み立て作業を行う場合、複数個の柵部材を連結するために多くの連結具を要するし、用途に応じて組み立てるのに長時間の工数や手間を要する。さらに、用途を変更する場合、連結具による連結を外して分解し、再組立て作業を要する、という課題があった。即ち、「面倒な組み立て作業を要することなく、多用途に用いることができ、しかも、他の用途への変更に対して互換性を持つのに加え、デザイン性が高くてインテリアに合う仕切りフェンスが欲しい。」というユーザニーズに応えることができない。
【００４６】
本発明者等は、上記課題を解決するため、形状とサイズが規格化された仕切りモジュールを用いて仕切りフェンスを構成することを前提とし、仕切りモジュールに自立固定機能を持たせれば面倒な組み立て作業を省略することが可能である点に着目した。この着目点に基づいて、本発明の仕切りフェンスＰＦは、形状とサイズが規格化された仕切りモジュールを構成要素として有し、床面Ｆの上部空間を外部空間領域と内部空間領域とに区分する。仕切りモジュールとして、床面Ｆへの設置により直線部位を仕切るフラットモジュールFMを備える。フラットモジュールFMは、第１傾斜面１ａと第２傾斜面１ｂと上端面１ｃと下端面１ｄと左側面１ｅと右側面１ｆにより囲まれ、床面Ｆに対して垂直面から一方向に傾斜させた傾斜角度θを持つ傾斜仕切り板１と、傾斜仕切り板１の下部位置に設けられ、傾斜仕切り板１の傾斜角度θを維持しながら床面Ｆに対して自立支持させる傾斜支持板２と、を有するという課題解決対策を採用した。
【００４７】
このように、床面Ｆに対して傾斜させた傾斜仕切り板１と、傾斜仕切り板１の傾斜角度θを維持しながら床面Ｆに対して自立支持させる傾斜支持板２とによってフラットモジュールFMが構成される。即ち、傾斜仕切り板１を用いているため、傾斜仕切り板１の重心位置Ｇ１と傾斜仕切り板１の下端面１ｄと傾斜支持板２の下端面２ｄによる床面接触位置とが床面方向にずれた位置の設定になり、このずれ寸法をモーメントスパンとして活用できる。つまり、傾斜面に向かって外部空間側からと内部空間側から作用する外力に対してフラットモジュールFMの倒れを抑える倒れ抑制強度を確保するのが容易になる。
【００４８】
よって、床面Ｆに対して設置するだけでフラットモジュールFMの自立固定状態が維持され、フラットモジュールFMを互いに連結するとき、連結具を要しない。このため、用途別に組み合わせるときに連結具を用いた組み立て作業を省略できる仕切りフェンスＰＦを提供することができる。
【００４９】
ここで、仕切りモジュールとして、床面Ｆへの設置により直線部位を仕切るフラットモジュールFM以外に、例えば、床面Ｆへの設置によりコーナー部位を仕切るコーナーモジュールCMを用意すると、より多用途に用いることができ、しかも、他の用途への変更に対して互換性を持つ。さらに、フラットモジュールFMやコーナーモジュールCMを、例えば、アクリル樹脂による板素材を用いて製造すると、すっきりした外観形状と透明性によりデザイン性が高くてインテリアに合う仕切りフェンスにすることができる。
【００５０】
［フラットモジュールの倒れ抑制強度の確保作用］
まず、第１傾斜面１ａにより外力Ｆ１が作用したときのフラットモジュールFMの倒れ抑制強度の確保作用を、図１３に基づいて説明する。
【００５１】
第１傾斜面１ａにより外力Ｆ１が作用したときは、図１３に示すように、傾斜支持板２のうち床面Ｆへ当接する下端面２ｄの端部位置Ｐ１をフラットモジュールFMの傾倒支点とする。このため、モーメントスパンがＬ１になり、図面右回り方向にフラットモジュールFMを倒す方向の倒れモーメントＭ１（＝Ｆ１×Ｌ１）が発生する。
【００５２】
これに対し、フラットモジュールFMは、端部位置Ｐ１を、フラットモジュールFMの重心位置Ｇ１よりも内部空間領域に向かって離れた位置であって、傾斜仕切り板１の上端面１ｃの端部位置から垂直に延ばした垂直線Ｖよりさらに内部空間領域に向かって離れた位置に配置している。このため、フラットモジュールFMの質量をｍ１とし重力加速度をｇとしたとき、モーメントスパンがＬ２になり、端部位置Ｐ１を支点として図面左回り方向にフラットモジュールFMが倒れるのを抑える倒れ抑制モーメントＭ２（＝(ｍ１)ｇ×Ｌ２）が発生する。
【００５３】
よって、倒れモーメントＭ１が倒れ抑制モーメントＭ２を超えない限りフラットモジュールFMは倒れることなく、その設置姿勢を維持する。言い換えると、倒れ抑制モーメントＭ２がフラットモジュールFMの倒れを抑える倒れ抑制強度になる。
【００５４】
さらに、傾斜仕切り板１と傾斜支持板２の内面に形成される三角柱形状空間に符合する形状を有し、フラットモジュールFMが倒れるときに三角柱形状空間から離脱することなく倒れる三角柱支持板５，６を備えているとする。この場合、マグネット連結される三角柱支持板５，６の重心位置Ｇ２とし総質量をｍ２としたとき、フラットモジュールFMが倒れを開始すると、モーメントスパンをＬ３とし、端部位置Ｐ１を支点として図面左回り方向にフラットモジュールFMが倒れるのを抑える倒れ抑制モーメントＭ３（＝(ｍ２)ｇ×Ｌ３）が発生する。
【００５５】
よって、倒れモーメントＭ１が倒れ抑制モーメント（Ｍ２＋Ｍ３）を超えない限りフラットモジュールFMは倒れることなく、その設置姿勢を維持し、フラットモジュールFMの倒れを抑える倒れ抑制強度が向上する。
【００５６】
次に、第２傾斜面１ｂにより外力Ｆ２が作用したときのフラットモジュールFMの倒れ抑制強度の確保作用を、図１４に基づいて説明する。
【００５７】
第２傾斜面１ｂにより外力Ｆ２が作用したときは、図１４に示すように、傾斜仕切り板１のうち床面Ｆへ当接する下端面１ｄの端部位置Ｐ２をフラットモジュールFMの傾倒支点とする。このため、モーメントスパンがＬ４になり、図面左回り方向にフラットモジュールFMを倒す方向の倒れモーメントＭ４（＝Ｆ２×Ｌ４）が発生する。
【００５８】
これに対し、フラットモジュールFMは、端部位置Ｐ２を、フラットモジュールFMの重心位置Ｇ１から外部空間領域に向かって離れた位置に配置している。このため、フラットモジュールFMの質量をｍ１とし重力加速度をｇとしたとき、モーメントスパンがＬ５になり、端部位置Ｐ２を支点として図面右回り方向にフラットモジュールFMが倒れるのを抑える倒れ抑制モーメントＭ５（＝(ｍ１)ｇ×Ｌ５）が発生する。
【００５９】
よって、倒れモーメントＭ４が倒れ抑制モーメントＭ５を超えない限りフラットモジュールFMは倒れることなく、その設置姿勢を維持する。言い換えると、倒れ抑制モーメントＭ５がフラットモジュールFMの倒れを抑える倒れ抑制強度になる。
【００６０】
さらに、傾斜仕切り板１と傾斜支持板２の内面に形成される三角柱形状空間に符合する形状を有し、フラットモジュールFMが倒れるときに三角柱形状空間から離脱することなく倒れる三角柱支持板５，６を備えているとする。この場合、マグネット連結される三角柱支持板５，６の重心位置Ｇ２とし総質量をｍ２としたとき、フラットモジュールFMが倒れを開始すると、モーメントスパンをＬ６とし、端部位置Ｐ２を支点として図面右回り方向にフラットモジュールFMが倒れるのを抑える倒れ抑制モーメントＭ６（＝(ｍ２)ｇ×Ｌ６）が発生する。
【００６１】
よって、倒れモーメントＭ４が倒れ抑制モーメント（Ｍ５＋Ｍ６）を超えない限りフラットモジュールFMは倒れることなく、その設置姿勢を維持し、フラットモジュールFMの倒れを抑える倒れ抑制強度が向上する。
【００６２】
［ゲートにおける作用］
仕切りフェンスＰＦを、ペットや乳幼児等が通過するのを阻止するゲートＰＦ１として用いる形態例は、フラットモジュールFMを複数個用意すると共に三角柱支持板５，６を複数本用意することで達成される例である。つまり、コーナーモジュールCMやコーナー用三角柱支持板７や床板８を用いないで達成される例である。
【００６３】
図９に示す形態例での組み合わせでは、まず、通過を阻止したい位置に第１三角柱支持板５及び第２三角柱支持板６を設置し、互いにマグネット吸着により直線状に連結させて三角柱支持ベースを作る。その後、三角柱支持板５，６による三角柱支持ベースの上から３個のフラットモジュールFM1,FM2,FM3を側面突き合わせ状態で設置する。このとき、マグネット吸着により直線状に連結させた三角柱支持ベースが、３個のフラットモジュールFM1,FM2,FM3の位置決め機能を発揮し、傾斜面を整然と揃えることができる。
【００６４】
このように、床面Ｆに三角柱支持ベースを作り、三角柱支持ベースの上から３個のフラットモジュールFM1,FM2,FM3を側面突き合わせ状態で設置するという簡単な組み合わせ作業だけでゲートＰＦ１を完成させることができる。例えば、図９に示すように、車室内の玄関や階段等へ通じる通路にゲートＰＦ１を設置すると、フリースペース内に存在する犬Ｄが玄関や階段等へ向かって通過するのを阻止することができる。
【００６５】
そして、３個のフラットモジュールFM1,FM2,FM3を設置するときは、三角柱支持板５，６の互いのマグネット連結部Ｊを、それぞれのフラットモジュールFM1,FM2,FM3が跨ぐ位置に配置している。このため、３個のフラットモジュールFM1,FM2,FM3のそれぞれに対して、三角柱支持板５，６による三角柱支持ベースの総質量によるモーメントが作用することになり、フラットモジュールFMの倒れを抑える倒れ抑制強度を向上させることができる。
【００６６】
［サークルにおける作用］
仕切りフェンスＰＦを、ペットや乳幼児等が自由に動ける範囲を制限するサークルＰＦ２として用いる形態例は、フラットモジュールFMとコーナーモジュールCMを複数個用意すると共に三角柱支持板５，６，７を複数本用意することで達成される例である。つまり、床板８を用いないで達成される例である。
【００６７】
図１０に示す形態例での組み合わせでは、まず、サークルＰＦ２としたい位置に三角柱支持板５，６，７を設置し、互いにマグネット吸着によりコ字状に連結させて三角柱支持ベースを作る。その後、三角柱支持板５，６，７による三角柱支持ベースの上から４個のフラットモジュールFM1,FM2,FM3,FM4と２個のコーナーモジュールCM1,CM2を側面突き合わせ状態で設置する。このとき、マグネット吸着によりコ字状に連結させた三角柱支持ベースが、４個のフラットモジュールFM1,FM2,FM3,FM4と２個のコーナーモジュールCM1,CM2の位置決め機能を発揮し、傾斜面を整然と揃えることができる。
【００６８】
このように、床面Ｆに三角柱支持ベースを作り、三角柱支持ベースの上から４個のフラットモジュールFM1,FM2,FM3,FM4と２個のコーナーモジュールCM1,CM2を側面突き合わせ状態で設置するという簡単な組み合わせ作業だけでサークルＰＦ２を完成させることができる。例えば、図１０に示すように、車室内の壁面Ｗから連続する広い床面ＦにサークルＰＦ２を設置すると、ペットが自由に動き回るスペースを確保することができる。
【００６９】
そして、４個のフラットモジュールFM1,FM2,FM3,FM4を設置するときは、三角柱支持板５，６，７の互いのマグネット連結部Ｊを、フラットモジュールFM1,FM2,FM3,FM4が跨ぐ位置に配置している。このため、４個のフラットモジュールFM1,FM2,FM3のそれぞれに対して、三角柱支持板５，６，７による三角柱支持ベースの総質量によるモーメントが作用することになり、フラットモジュールFMの倒れを抑える倒れ抑制強度を向上させることができる。
【００７０】
［ケージにおける作用］
仕切りフェンスＰＦを、ペット等のために全周が囲まれた独立空間を形成するケージＰＦ３として用いる形態例は、フラットモジュールFMとコーナーモジュールCMをそれぞれ４個用意し、コーナー用三角柱支持板７を４本用意し、床板８を１枚用意することで達成される例である。つまり、第１三角柱支持板５と第２三角柱支持板６を用いないで達成される例である。
【００７１】
図１２に示す形態例での組み合わせでは、ケージＰＦ３を置きたい位置に４本のコーナー用三角柱支持板７を、互いにマグネット吸着によりロ字状に連結させて三角柱支持ベースを作る。その後、コーナー用三角柱支持板７による三角柱支持ベースの上から４個のフラットモジュールFM1,FM2,FM3,FM4と４個のコーナーモジュールCM1,CM2,CM3,CM4を側面突き合わせ状態で設置する。このとき、マグネット吸着によりロ字状に連結させた三角柱支持ベースが、４個のフラットモジュールFM1,FM2,FM3,FM4と４個のコーナーモジュールCM1,CM2,CM3,CM4の位置決め機能を発揮し、傾斜面を整然と揃えることができる。
【００７２】
このように、床面Ｆに三角柱支持ベースを作り、三角柱支持ベースの上から４個のフラットモジュールFM1,FM2,FM3,FM4と４個のコーナーモジュールCM1,CM2,CM3,CM4を側面突き合わせ状態で設置するという簡単な組み合わせ作業だけでケージＰＦ３を完成させることができる。例えば、図１２に示すように、リビングルーム等の床面ＦにケージＰＦ３を設置すると、犬Ｄが就寝したり飲食したりするケージスペースを確保することができる。
【００７３】
そして、４個のフラットモジュールFM1,FM2,FM3,FM4を設置するときは、コーナー用三角柱支持板７の互いのマグネット連結部Ｊを、フラットモジュールFM1,FM2,FM3,FM4が跨ぐ位置に配置している。このため、４個のフラットモジュールFM1,FM2,FM3のそれぞれに対して、コーナー用三角柱支持板７による三角柱支持ベースの総質量によるモーメントが作用することになり、フラットモジュールFMの倒れを抑える倒れ抑制強度を向上させることができる。
【００７４】
加えて、床板８は、裏面側の外周に沿って傾斜面８ａが形成され、傾斜面８ａの傾斜角度αを、傾斜支持板２及びコーナー支持板４の床面Ｆに対する傾斜角度αと一致させている。このため、図１５に示すように、床板８とペットの重量による下向きの力Ｆ３が、傾斜支持板２及びコーナー支持板４と重なり合う内側傾斜面に作用し、フラットモジュールFMの倒れを抑える倒れ抑制強度をさらに向上させることができる。
【００７５】
以上説明したように、実施例１の仕切りフェンスＰＦにあっては、下記に列挙する効果を奏する。
【００７６】
(1) 形状とサイズが規格化された仕切りモジュールを構成要素として有し、床面Ｆの上部空間を外部空間領域と内部空間領域とに区分する仕切りフェンスＰＦにおいて、
仕切りモジュールとして、床面Ｆへの設置により直線部位を仕切るフラットモジュールFMを備え、
フラットモジュールFMは、
第１傾斜面１ａと第２傾斜面１ｂと上端面１ｃと下端面１ｄと左側面１ｅと右側面１ｆにより囲まれ、床面Ｆに対する垂直面から一方向に傾斜させた傾斜角度θを持つ傾斜仕切り板１（傾斜仕切り部材）と、
傾斜仕切り板１（傾斜仕切り部材）の下部位置に設けられ、傾斜仕切り板１（傾斜仕切り部材）の傾斜角度θを維持しながら床面Ｆに対して自立支持させる傾斜支持板２（自立支持部材）と、を有する。
このため、用途別に組み合わせるときに連結具を用いた組み立て作業を省略できる仕切りフェンスＰＦを提供することができる。
【００７７】
(2) 傾斜仕切り板１（傾斜仕切り部材）は、床面Ｆに対して垂直な面から内部空間領域に向かって傾斜し、第２傾斜面１ｂと床面Ｆとの傾斜角度θを直角より小さい所定の傾斜角度に設定し、
傾斜支持板２（自立支持部材）は、床面Ｆへ当接する下端面２ｄの端部位置Ｐ１を、フラットモジュールFMの重心位置Ｇ１よりも内部空間領域に向かって離れた位置に配置する。
このため、第１傾斜面１ａに向かって作用する外力Ｆ１及び第２傾斜面１ｂに向かって作用する外力Ｆ２に対してモーメントスパンが設定され、フラットモジュールFMの倒れを抑える倒れ抑制強度を確保することができる。
【００７８】
(3) 傾斜仕切り部材を、傾斜仕切り板１とし、
自立支持部材を、第２傾斜面１ｂの下部位置に横幅方向に沿って固定され、傾斜仕切り板１の傾斜方向とは逆方向に傾斜する傾斜支持板２とし、
傾斜仕切り板１と傾斜支持板２の内面に形成される三角柱形状空間に符合する形状による三角柱支持板（第１三角柱支持板５、第２三角柱支持板６）を有する。
このため、傾斜仕切り部材や自立支持部材の部品点数を最小に抑えながら、外力Ｆ１，Ｆ２が作用するとき、三角柱支持板により重量が加えられることによりフラットモジュールFMの倒れを抑える倒れ抑制強度をさらに向上させることができる。さらに、傾斜仕切り板１と傾斜支持板２の板素材（例えば、アクリル樹脂）と、三角柱支持板の板素材（例えば、木材）とを異ならせる組み合わせにすることにより、外観デザイン性を向上させることもできる。
【００７９】
(4) フラットモジュールFMを複数個用意し、
フラットモジュールFMの側面同士を互いに突き合わせる側面突き合わせ状態で床面Ｆに沿う横並び直線整列により組み合わせる。
このため、連結具を用いた組み立て作業を省略した簡単な組み合わせ作業を行うだけで、ペット等が通過するのを阻止する用途のゲートＰＦ１を提供することができる。
【００８０】
(5) 仕切りモジュールとして、床面Ｆへの設置によりコーナー部位を仕切るコーナーモジュールCMを備え、
フラットモジュールFMとコーナーモジュールCMをそれぞれ複数個用意し、
フラットモジュールFMとコーナーモジュールCMの側面同士を互いに突き合わせる側面突き合わせ状態で床面全体から所定の方形床面領域を仕切る形状に組み合わせる。
このため、連結具を用いた組み立て作業を省略した簡単な組み合わせ作業を行うだけで、ペット等が自由に動ける範囲を制限する用途のサークルＰＦ２を提供することができる。
【００８１】
(6) 仕切りモジュールとして、床面Ｆへの設置によりコーナー部位を仕切るコーナーモジュールCMを備え、
フラットモジュールFMとコーナーモジュールCMをそれぞれ複数個用意すると共に、所定の形状による床板８を用意し、
フラットモジュールFMとコーナーモジュールCMの側面同士を互いに突き合わせる側面突き合わせ状態で床面Ｆを方形状に囲んで組み合わせ、
床板８を、傾斜支持板２（自立支持部材）に沿って重なり合う領域と方形状の囲みにより形成される床面領域に対して上から覆うように組み合わせる。
このため、連結具を用いた組み立て作業を省略した簡単な組み合わせ作業を行うだけで、ペット等のために全周が囲まれた独立空間を形成する用途のケージＰＦ３を提供することができる。加えて、床板８からの下向きの力Ｆ３がフラットモジュールFMとコーナーモジュールCMに作用することで、フラットモジュールFMとコーナーモジュールCMの倒れを抑える倒れ抑制強度をさらに向上させることができる。
【００８２】
以上、本発明の仕切りフェンスを実施例１に基づき説明してきた。しかし、具体的な構成については、この実施例１に限られるものではなく、特許請求の範囲の各請求項に係る発明の要旨を逸脱しない限り、設計の変更や追加等は許容される。
【００８３】
実施例１では、傾斜仕切り部材を、傾斜仕切り板１とする例を示した。しかし、傾斜仕切り部材としては、傾斜仕切り板に限られるものではなく、例えば、方形状の格子枠に複数本の格子を配列した傾斜仕切り棚等としても良い。
【００８４】
実施例１では、自立支持部材を、第２傾斜面１ｂの下部位置に横幅方向に沿って固定され、傾斜仕切り板１の傾斜方向とは逆方向に傾斜する傾斜支持板２とする例を示した。しかし、自立支持部材としては、傾斜支持板に限られるものではなく、傾斜仕切り部材の下部位置に固定される自立支持台や自立支持板等としても良い。
【００８５】
実施例１では、フラットモジュールFMとコーナーモジュールCMの素材を透明のアクリル樹脂とし、三角柱支持板５，６，７の素材を木材とする例を示した。フラットモジュールとコーナーモジュールと三角柱支持板の素材としては、アクリル樹脂や木材に限られるものではなく、アクリル樹脂以外の合成樹脂素材やアルミ合金等の軽金属素材等を適宜用いるようにしても良い。
【００８６】
実施例１では、傾斜仕切り部材を、床面Ｆに対して垂直な面から内部空間領域に向かって傾斜する例を示した。しかし、傾斜仕切り部材の傾斜方向はこれに限られず、床面に対して垂直な面から外部空間領域に向かって逆に傾斜する例としても良い。
【００８７】
実施例１にて仕切りフェンスＰＦとして開示したゲートＰＦ１やサークルＰＦ２やケージＰＦ３は、あくまで仕切りフェンスＰＦの一例に過ぎない。よって、フラットモジュールFMを１個以上用いる仕切りフェンスであれば、実施例１以外の仕切りフェンスであっても本発明に含まれる。例えば、フラットモジュールFMを、既存の仕切りフェンス（ゲートやサークルやケージ）の一部として組み合わせる例であっても良い。
【符号の説明】
【００８８】
ＰＦ  仕切りフェンス
Ｆ  床面
FM  フラットモジュール（仕切りモジュール）
１  傾斜仕切り板（傾斜仕切り部材）
１ａ  第１傾斜面
１ｂ  第２傾斜面
１ｃ  上端面
１ｄ  下端面
１ｅ  左側面
１ｆ  右側面
２  傾斜支持板（自立支持部材）
２ｄ  下端面
Ｐ１  端部位置
CM  コーナーモジュール（仕切りモジュール）
３  コーナー仕切り板
４  コーナー支持板
５  第１三角柱支持板
６  第２三角柱支持板
７  コーナー用三角柱支持板
８  床板
θ  傾斜角度
ＰＦ１  ゲート（仕切りフェンス）
ＰＦ２  サークル（仕切りフェンス）
ＰＦ３  ケージ（仕切りフェンス）
【図１】
2020156425.tif 000003
【図２】
2020156425.tif 000004
【図３】
2020156425.tif 000005
【図４】
2020156425.tif 000006
【図５】
2020156425.tif 000007
【図６】
2020156425.tif 000008
【図７】
2020156425.tif 000009
【図８】
2020156425.tif 000010
【図９】
2020156425.tif 000011
【図１０】
2020156425.tif 000012
【図１１】
2020156425.tif 000013
【図１２】
2020156425.tif 000014
【図１３】
2020156425.tif 000015
【図１４】
2020156425.tif 000016
【図１５】
2020156425.tif 000017